【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
電気コネクターアセンブリであって、
ベースと、
電線キャリアであって、前記ベースに面する表面を有する、電線キャリアと、
前記電線キャリア内の電線通路と、
前記電線キャリア内の穿孔点スロットであって、前記電線通路から前記表面までそれぞれ延びる対向する壁を有する、穿孔点スロットと、
金属接触部材であって、該金属接触部材は、前記ベース上の取り付け部分と、接触要素と、第１の穿孔点及び第２の穿孔点とを有し、該第１の穿孔点及び該第２の穿孔点は、前記取り付け位置に沿って離間しているとともに前記穿孔点スロット内に延び、該穿孔点の上部に小さい先端と、該穿孔点に沿って前記先端と前記取り付け部分との間に延びる第１の位置合わせ側面と、該穿孔点に沿って前記先端と前記取り付け部分との間に延びる第２のテーパー状側面とをそれぞれ有し、前記第１の穿孔の前記位置合わせ側面は一方のスロット壁と摺動可能に係合し、前記第２の穿孔点の前記位置合わせ側面は他方のスロット壁と摺動可能に係合する、金属接触部材と、
を備え、
前記電線キャリアが電線挿入位置にある場合に絶縁電線を前記電線通路内に位置決めするとともに前記ベース及び前記電線キャリアを一緒に接触位置まで移動させると、前記穿孔点の前記先端は前記電線に貫入して、該電線内の導体との横方向に離間した絶縁変位電気接続部を形成する、電気コネクターアセンブリ。
【請求項２】
前記アセンブリは、前記ベースと前記電線キャリアとの間にヒンジ接続部を含み、前記ベース及び前記電線キャリアは、前記電線挿入位置から前記接触位置へ一緒に回転する、請求項１に記載のアセンブリ。
【請求項３】
前記アセンブリは、前記ベース及び前記電線キャリアのうちの一方にラッチと、前記ベース及び前記キャリアのうちの他方にラッチ面とを含み、前記ラッチ及び前記ラッチ面は、互いに係合して前記ベース及び前記電線キャリアを一緒に前記接触位置に保持する、請求項２に記載のアセンブリ。
【請求項４】
前記電線キャリアは、本体であって、前記電線通路及び前記スロットは該本体内に形成される、本体と、前記電線通路の一端部において該電線キャリアと接合する支持部材であって、前記本体から離れるように延びる、支持部材とを含み、前記ヒンジは、前記支持部材上に前記本体から離れて位置する、請求項２に記載のアセンブリ。
【請求項５】
前記アセンブリは、前記ベースと前記電線キャリアとの間に線状の摺動接続部を含み、前記ベース及び前記電線キャリアは、前記電線挿入位置から前記接触位置へ直線状に一緒に移動する、請求項１に記載のアセンブリ。
【請求項６】
前記接触部材は、前記穿孔点スロットに入る第３の穿孔点を含み、該第３の穿孔点は、該穿孔点の上部に小さい先端を有し、該先端は前記スロットの側壁間に概ね等距離に位置する、請求項１または５に記載のアセンブリ。
【請求項７】
前記接触部材は、前記ベース内の溝に嵌まるストリップを含み、前記接点は該ストリップから上方に延び、前記接点の前記位置合わせ側面は前記ストリップの側面の延長部を形成する、請求項１に記載のアセンブリ。
【請求項８】
各接点は概ね三角形の形状であり、前記位置合わせ側面の上部から前記先端まで延びる内方にテーパー状になっている短い表面を含む、請求項７に記載のアセンブリ。
【請求項９】
前記アセンブリは第３の穿孔点を含み、該第３の穿孔点は、該点の上部に小さい先端と、前記ストリップから前記先端までそれぞれ延びる内方にテーパー状になっている２つの側面とを含む、請求項８に記載のアセンブリ。
【請求項１０】
１つの接点が前記ストリップに隣接する止め縁部を含み、該止め縁部は、電線の引き抜きを防止するように、前記点によって穿孔される前記電線上の絶縁部と係合する、請求項９に記載のアセンブリ。
【請求項１１】
前記電線通路は、上側の部分円周部分と下側の部分円周部分とを備え、前記上側部分のサイズは、前記下側部分のサイズよりも小さく、前記アセンブリは、前記通路内に延びる異なる直径の電線との絶縁変位電気接続部を形成する、請求項１に記載のアセンブリ。
【請求項１２】
前記部分円周部分間に延びる弦状壁を含む、請求項１１に記載のアセンブリ。
【請求項１３】
前記電線通路の前記上側の部分円周部分又は前記下側の部分円周部分のうちの一方は、前記穿孔点スロットに対して横方向にずれている、請求項１２に記載のアセンブリ。
【請求項１４】
前記アセンブリは、前記キャリアを前記ベースに向けて移動させるために該ベースと該キャリアとの間にヒンジを含み、前記電線キャリア上の上方に面する表面が前記ベース上の下方に面する表面の下に位置し、これらの前記表面は前記電線挿入位置上での前記電線キャリアの回転を防止する、請求項１に記載のアセンブリ。
【請求項１５】
前記電線キャリアは、本体と、該本体の一端部から離れるように延びる支持部材であって、或る幅を有し、前記ベースは該支持部材の両側に位置する２つの後方突起を含む、支持部材と、該支持部材と前記本体から離れた前記ベースとの間にヒンジとを含み、前記突起は、該突起間の距離を低減する、内方に面するテーパー状になっている側面を有し、前記電線キャリアが前記電線挿入位置へ前記ヒンジ回りに回転することによって、前記支持部材が前記突起間で前記テーパー状になっている表面に沿って移動し、該支持部材を前記ベースに対して横方向に位置決めするとともに前記穿孔点スロットを前記ベースの前記穿孔点上に位置合わせし、それによって、前記電線キャリアが前記電線挿入位置にあるときに前記穿孔点が前記スロット内に延びる、請求項１または１４に記載のアセンブリ。
【請求項１６】
前記電気コネクターアセンブリは２本の電線との電気接続部を形成するためのものであり、前記電線キャリアは、第２の電線通路と第２の穿孔点スロットとを含み、前記ベース上の２つの穿孔点を有する第２の接触部材が前記第２の穿孔点スロットに入る先端を有し、前記電線キャリアは、前記電線挿入位置から前記接触位置まで手で移動させることができる、請求項１、１４または１５に記載の電気コネクターアセンブリ。
【請求項１７】
電気コネクターアセンブリであって、
表面を有する電線キャリアと、
前記電線キャリア内に電線通路と、
前記電線キャリア内の穿孔点スロットであって、前記電線通路から前記表面までそれぞれ延びる対向する壁を有する、穿孔点スロットと、
金属接触部材であって、該金属接触部材は、接触要素と、第１の穿孔点及び第２の穿孔点とを有し、該穿孔点は、前記穿孔点スロットに沿って離間しており、該穿孔点の上部に、前記電線通路に隣接する小さい先端と、前記先端から離れるように該穿孔点に沿って延びる第１の位置合わせ側面と、前記先端から離れるように該穿孔点に沿って延びる第２の位置合わせ側面とをそれぞれ有し、それによって、前記穿孔点の厚さは前記先端から離れるにつれて増大し、前記第１の穿孔点の前記位置合わせ側面は一方のスロット壁と摺動可能に係合し、前記第２の穿孔点の前記位置合わせ側面は他方のスロット壁と摺動可能に係合する、金属接触部材と、
を備え、
絶縁電線を前記電線通路内に位置決めするとともに前記穿孔点を前記スロット内に前記電線通路に向けて移動させると、前記穿孔点の前記先端は前記電線に貫入して、該電線内の導体との横方向に離間した絶縁変位電気接続部を形成する、電気コネクターアセンブリ。
【請求項１８】
前記接触要素は前記接触部材の一端部にある、請求項１７に記載のアセンブリ。
【請求項１９】
前記アセンブリは、ベースと、該ベースと前記電線キャリアとの間にヒンジとを含み、前記接触部材は前記ベースに位置し、前記電線キャリアが前記ベースに向かって回転することによって前記穿孔点が前記スロット内に移動する、請求項１７に記載のアセンブリ。
【請求項２０】
前記電線キャリアを前記ベースから離れた電線挿入位置に保持するラッチを含む、請求項１９に記載の電気コネクター。
【請求項２１】
前記電線キャリアを前記ベースに隣接する接触位置に保持するラッチを含む、請求項１９に記載の電気コネクター。
【請求項２２】
前記アセンブリは、ベースと、該ベース上に前記接触部材と、前記ベースと前記電線キャリアとの間に摺動接続部とを含み、前記ベース及び前記電線キャリアは線に沿って一緒に移動する、請求項１７に記載のアセンブリ。
【請求項２３】
前記電線キャリアを前記ベースに隣接して保持するラッチを含む、請求項２２に記載のアセンブリ。
【請求項２４】
前記接触部材は、前記穿孔点スロットに入る第３の穿孔点を含み、該第３の穿孔点は、該穿孔点の上部に小さい先端を有し、該先端は前記スロットの側壁間に概ね等距離に位置する、請求項１７に記載のアセンブリ。
【請求項２５】
前記第１の穿孔点及び前記第２の穿孔点のそれぞれの位置合わせ側面とスロットの側壁との間に、相補的な摺動位置合わせ係合部を含む、請求項１または１７に記載のアセンブリ。
【請求項２６】
前記金属接触部材はストリップを含み、前記接点は該ストリップから上方に延び、前記接点の前記位置合わせ側面は前記ストリップの側面の延長部を形成する、請求項１７に記載のアセンブリ。
【請求項２７】
前記アセンブリはベースを含み、前記ストリップは該ベースの溝に嵌まる、請求項２６に記載のアセンブリ。
【請求項２８】
前記金属接触は第３の穿孔点を含み、該第３の穿孔点は、該点の上部に小さい先端と、前記ストリップから離れて延びる内方にテーパー状になっている２つの側面とを含む、請求項１７に記載のアセンブリ。
【請求項２９】
前記金属接触は、電線の引き抜きを防止するように前記電線通路内の前記電線上の絶縁部と係合する止め縁部を含む、請求項１７または２８に記載のアセンブリ。
【請求項３０】
前記電線通路は、上側の部分円周部分と下側の部分円周部分とを備え、前記上側部分のサイズは、前記下側部分のサイズよりも小さく、前記アセンブリは、前記通路内に延びる異なる直径の電線との絶縁変位電気接続部を形成する、請求項１７、２８または２９に記載のアセンブリ。
【請求項３１】
前記電線通路は、ＡＷＧ２２〜ＡＷＧ２６の電線を受け入れるサイズである、請求項１７、２８、２９または３０に記載のアセンブリ。
【請求項３２】
絶縁電線内の導体との絶縁変位電気接続部を形成する方法であって、
ａ）中心にある導体と周囲の絶縁部とを有する電線を電線キャリア内の電線通路に位置決めするステップと、
ｂ）２つの離間した金属穿孔点を前記電線キャリアのスロット内に延ばすステップであって、各穿孔点は、一方のスロット壁と係合する位置合わせ側面と、前記スロット壁から内方に位置する小さい先端とを有し、これらの該先端は横方向に離間している、延ばすステップと、
ｃ）前記穿孔点の前記位置合わせ側面を対向する前記スロット壁に沿って摺動させるとともに前記穿孔点の前記小さい先端を前記スロット壁の内方に維持することによって、前記穿孔点を前記スロットの内方に沿って前記電線に向けて移動させるステップと、
ｄ）前記穿孔点の前記先端を、前記スロット壁から内方の位置において、前記電線上の前記絶縁部を通して該電線の前記導体内に移動させるステップであって、前記導体との横方向に離間した２つの絶縁変位電気接続部を形成する、移動させるステップと、
を含む、絶縁電線内の導体との絶縁変位電気接続部を形成する方法。
【請求項３３】
ｅ）前記スロット内に第３の穿孔点を設けるステップであって、該第３の穿孔点は、前記スロット壁間の概ね等距離に位置する小さい先端を有する、設けるステップと、
ｆ）前記第３の穿孔点を前記電線に向けて移動させるステップであって、それによって前記第３の穿孔点の前記先端は前記電線上の前記絶縁部及び前記電線内の前記導体に貫入して、前記横方向に離間した接続部間に位置する前記導体との第３の絶縁変位電気接続部を形成する、移動させるステップと、
を含む、請求項３２に記載の方法。
【請求項３４】
前記電線内の前記導体の直径は、前記穿孔点の前記先端の横方向の間隔よりも大きい、請求項３２に記載の方法。
【請求項３５】
電気コネクターアセンブリであって、
表面を有する電線キャリアと、
前記電線キャリア内の電線通路と、
前記電線キャリア内の穿孔点スロットであって、前記電線通路から前記表面までそれぞれ延びる対向する平行な壁を有する、穿孔点スロットと、
金属接触部材であって、該金属接触部材は、接触要素と、第１の穿孔点及び第２の穿孔点とを有し、該穿孔点は、前記穿孔点スロットに沿って離間しているとともに該穿孔点スロット内に移動可能であり、該穿孔点の上部に小さい先端と、該穿孔点の一方の側面に位置合わせ表面と、該穿孔点の他方の側面にテーパー状の表面とをそれぞれ有し、前記第１の穿孔点の前記位置合わせ表面は一方のスロット壁と摺動可能に係合し、前記第２の穿孔点の前記位置合わせ側面は他方のスロット壁と摺動可能に係合する、金属接触部材と、
を備え、
電線を前記電線通路内に位置決めするとともに前記穿孔点を前記スロット内に移動させると、前記穿孔点の前記先端は前記電線に貫入して、該電線内の導体との横方向に離間した絶縁変位電気接続部を形成する、電気コネクターアセンブリ。
【請求項３６】
前記電線通路及び前記スロットは直線的である、請求項３５に記載の電気コネクターアセンブリ。
【請求項３７】
前記接触部材はストリップを含み、前記穿孔点は前記ストリップから離れるように延びている、請求項３６に記載の電気コネクターアセンブリ。
【請求項３８】
前記接触部材は、前記穿孔点スロット内に移動可能な第３の穿孔点を含む、請求項３７に記載の電気コネクターアセンブリ。
【請求項３９】
前記ストリップは対向する平行な側面を有し、前記第１の穿孔点の前記位置合わせ表面は一方のストリップの側面の延長部を形成し、前記第２の穿孔点の前記位置合わせ表面は他方のストリップの側面の延長部を形成する、請求項３７に記載の電気コネクターアセンブリ。
【請求項４０】
前記電気コネクターアセンブリは、ベースと、該ベースにベーススロットとを含み、前記ストリップは前記ベーススロット内に位置決めされる、請求項３９に記載の電気コネクターアセンブリ。
【請求項４１】
前記キャリアと前記ベースとの間のヒンジを含む、請求項４０に記載の電気コネクターアセンブリ。
【請求項４２】
前記キャリアと前記ベースとの間にラッチ接続部を含む、請求項４０に記載の電気コネクターアセンブリ。
【請求項４３】
電気コネクターアセンブリであって、
表面を有する電線キャリアと、
前記電線キャリア内に電線通路と、
前記電線通路内の穿孔点スロットであって、前記電線通路から前記表面までそれぞれ延びる対向する平行な壁を有する、穿孔点スロットと、
金属接触部材であって、該金属接触部材は、接触要素と、第１の穿孔点とを有し、該穿孔点は、前記穿孔点スロット内に延び、該穿孔点の上部に小さい第１の先端と、該穿孔点の一方の側面の位置合わせ表面であって、前記先端は前記位置合わせ表面に隣接しており、該位置合わせ表面は一方のスロット壁と摺動可能に係合する、位置合わせ表面と、該穿孔点の他方の側面のテーパー状の表面であって、前記先端まで延びる、テーパー状の表面とを有する、金属接触部材と、
を備え、
絶縁電線を前記電線通路内に位置決めするとともに前記穿孔点を前記スロット内に移動させると、前記位置合わせ表面は前記一方のスロット壁に沿って摺動し、前記穿孔点の前記先端は前記電線に貫入して、該電線内の導体との絶縁変位電気接続部を形成する、電気コネクターアセンブリ。
【請求項４４】
前記電気コネクターアセンブリはベースを含み、前記接触部材は、前記穿孔点が前記電線キャリアの前記スロット内に移動するように前記ベースから外方に延びている状態で該ベースに取り付けられる、請求項４３に記載の電気コネクターアセンブリ。
【請求項４５】
前記電線キャリアと前記ベースとの間にヒンジ接続部を含む、請求項４４に記載の電気コネクターアセンブリ。
【請求項４６】
前記ベース及び前記電線キャリアを一緒に保持するラッチを含む、請求項４４に記載の電気コネクターアセンブリ。
【請求項４７】
前記ベースと前記電線キャリアとの間に線状の摺動接続部を含む、請求項４４に記載の電気コネクターアセンブリ。
【請求項４８】
前記接触部材は第２の穿孔点を含み、該第２の穿孔点は、該第２の穿孔点の上部に、前記他方のスロット壁に隣接して第２の先端を含む、請求項４３に記載の電気コネクターアセンブリ。
【請求項４９】
前記金属接触部材は第３の穿孔点を含み、該第３の穿孔点は、前記第１の先端と前記第３の先端との間に位置する第３の先端を有する、請求項４８に記載の電気コネクターアセンブリ。
【請求項５０】
前記電線通路及び前記スロットは直線的である、請求項４３に記載の電気コネクターアセンブリ。
【請求項５１】
前記穿孔点は、前記先端と前記位置合わせ表面との間にテーパー状になっている短い表面を含む、請求項４３に記載の電気コネクターアセンブリ。
【請求項５２】
前記電線通路は断面が円形である、請求項４３に記載の電気コネクターアセンブリ。
【請求項５３】
前記電線通路は前記スロット上に中心決めされており、それによって前記先端は前記電線の一方の側に貫入して、中心から外れた電気接続部を形成する、請求項４３に記載の電気コネクターアセンブリ。